(57)【要約】      （修正有）【課題】座面が自動的に円形回転し、また体重の移動により座面が適切な角度に傾けられる腰ねじり回し用健康器具を提供する。【解決手段】台脚の支柱の上部にモータ２０が設置され、モータの出力側に、シャフトロッド１２のベベルギヤーと噛み合うウォーム歯車が設けられ、シャフトロッドが連動し、シャフトロッド上部に適切な長さの横フレーム１４が垂直に固定されており、横フレームの縦側に案内溝１４１が開けられ、その中間部に位置決め用のスクリュー１５が設けられ、また案内溝にバー３０が設置され、このバーにスクリューねじ込み用スクリューホールが開けられ、バーを調整して溝内で水平に動作させる。また、バーの上部にボール支部４０が設けられ、座面の底部にある半円形はめ込み部５１にはめ合わされ、またボール支部４０底部と座面底部が少なくとも２本以上の弾性エレメント６０で繋げられる。【選択図】図１
0003111851.tif 000002
【実用新案登録請求の範囲】
【請求項１】
支柱の底部に足部が設置され、該支柱の上端に軸方向に突き出したシャフトロッドが設置され、該シャフトロッドの上端に横フレームが設置され、該横フレームの案内溝に位置決め用のスクリューが設置され、スクリューねじ込み用のスクリューホールが開けられたバーが該案内溝に差し込まれ、該バーの上端に座面が取り付けられている、腰ねじり回し用健康器具であって、
該支柱の上端にモータが設置され、該モータの出力側にウォーム歯車が設置され、該ウォーム歯車が該シャフトロッドに取り付けられているベベルギアと噛み合わせられ、座面が自動的に円形回転できることを特徴とする、腰ねじり回し用健康器具。
【請求項２】
案内溝に設置されている位置決め用のスクリューの端部に減速モータが装置される、請求項１に記載の腰ねじり回し用健康器具。
【請求項３】
前記シャフトロッド底部が調整棒に軸方向に差し込まれて接続され、該調整棒下端が支柱に軸方向に差し込まれ、該調整棒に適切な間隔をおいて止め穴が設けられ、支柱の側面にもピン穴が開けられ、ピンをピン穴と止め穴に差し込むことにより座面の高さが調節可能な請求項１又は２に記載の腰ねじり回し用健康器具。
【請求項４】
支柱の底部に台脚が設置され、該支柱の上部に軸方向に突き出したシャフトロッドが設置され、該シャフトロッドの上端に横フレームが設置され、該横フレームの案内溝に位置決め用のスクリューが設置され、スクリューねじ込み用のスクリューホールが開けられたバーが該案内溝に差し込まれ、該バーの上端に座面が取り付けられている、腰ねじり回し用健康器具であって、
該バーの上端にボール支部が接続され、座面の底部に設けられている半円形はめ込み部とはめ合わされ、該ボール支部の底部と座面の底部が少なくとも二つ又は二つ以上の弾性エレメントで接続され、座面を適切な角度に傾けることが可能であることを特徴とする、腰ねじり回し用健康器具。
【考案の詳細な説明】
【技術分野】
【０００１】
本考案は、座面が自動的に回転し、また自在に回すことが可能であり、腰を運動させて健康的な効果が得られる健康器具に関する。
【背景技術】
【０００２】
台湾特許第229389号「腰を運動させるオフィスチェア構造」（特許文献１）は、本考案に関連する構造を開示している。この構造は、主に台脚と座面を連結する構造の設計であって、座面が台脚を軸心として回転する機能のほか、座面そのものも回転し、２種の回転を組み合わせることにより揺れの動きが生まれ、腰部を運動させるものである。座面と台脚を連結している支柱に上端より突き出した水平方向の案内台が設けられ、案内台の中間部に案内溝が開けられ、さらに案内溝に調整スクリューが差し込まれ、溝から出ているスクリューの端部につまみが繋げられ、対称となる側がねじ込みキャップのラッチ鎖錠により案内台と接続された状態となり、調整スクリューを空転させるようになっている。またスクリューの上にシャフトロッドが設けられ、スクリューの回転によりシャフトロッドを水平に移動させ、上端が軸受けで座面受けと繋げられることにより座面と連結するようになっている。一方、支柱が台脚の中管に装着され、さらに中管の側面に位置決め装置が設置されていることを特徴としている。これが全体の組み立てとなり、オフィスチェアが台脚を軸心として回転し、また座面そのものが回転するの２種の運動形態により、腰部を運動させる機能を有している。このほか、台脚側面にある位置決め装置により、単純な回転式オフィスチェアとして利用することが可能となる。
【０００３】
上記座面と接続されているシャフトロッドは支柱と偏心的な状態になって、座面が支柱を廻って回転させられることにより、座る人が自身の力で腰部を狭い範囲で回転させ、腰部を運動する目的を達成することができる。
【０００４】
しかしながら、足を地面に置き、臀部を座面に付けて円形回転するのために力を入れることは、短時間で足がだるくなり、痛みを感じることがあり、座面が円形回転をする時に水平面の運動しかできないので、臀部関節が円形回転による摩擦をおこし、運動による傷害をひき起こしやすい。
【特許文献１】台湾特許第229389号
【考案の開示】
【考案が解決しようとする課題】
【０００５】
本考案は、座面が自動的に円形回転し、また体重の移動により座面を適切な角度に傾けられる腰ねじり回し用健康器具を提供することを課題とする。
【課題を解決するための手段】
【０００６】
上記の課題を解決するために、本考案者は、座面そのものが自動的に円形回転をするだけでなく、体の重心位置の変化により適切の角度に傾けられて回転する構造について鋭意研究を重ねた結果、本考案を完成した。
すなわち本考案の腰ねじり回し用健康器具は、上記の課題を解決するため、支柱の底部に台脚が設置され、上部にモータが設けられることを特徴とし、モータが支柱の上端面から突き出しているシャフトロッドを回転させるものである。また、回転シャフトロッドの上端に横フレームが固定され、横フレームには縦側にある案内溝に位置決め用の回転スクリューが取り付けられ、また位置を調節するバーが設置され、バーにスクリューねじ込み用スクリューホールが開けられている。その上部にボール支部が設けられ、座面の底面にある半円形はめ込み部とはめ合わせられ、さらにボール支部底部と座面底部の間は二つ以上の弾性エレメントで繋げられている。これにより、座面がシャフトロッドを支点として自動的に円形回転をし、同時に体重の移動により適切な角度に傾けられて回転する機能を提供可能な腰ねじり回りし用健康器具を提供する。
【考案を実施するための最良の形態】
【０００７】
以下、図面を参照して本考案を実施するための一例を詳しく説明する。
図１、図２に示す通り、本考案の腰ねじり回し用健康器具は、支柱１０の底部に台脚１１が設置され、上端部に軸方向に突き出しているシャフトロッド１２が設けられ、シャフトロッド１２にベベルギア１３が固定されている。
【０００８】
モータ２０が支柱１０の上部に設置され、モータ２０の出力側にウォーム歯車２１が設けられ、シャフトロッド１２のベベルギア１３と噛み合わされている。
【０００９】
上記シャフトロッド１２の上部に垂直に適切な長さの横フレーム１４が設けられ、横フレーム１４に縦側に案内溝１４１が開けられ、案内溝１４１の中間部に位置決め用の回転スクリュー１５が設けられ、スクリュー１５の端部にホイール１５１が設置され、スクリュー１５を簡単に調節できるように、ホイール１５１の外側にノブ１５２がピン接続されている。また、スクリュー１５の端面に減速モータ１５３が装置されることにより、スクリュー１５の回転を自動的にコントロールする機能を設定することができる（図３）。
【００１０】
バー３０は案内溝１４１に設置され、その上側及び下側の両方につば部３１が設けられ、それが案内溝１４１の上側及び下側に接触することにより、水平方向の走行が保持できる。バー３０の底部にねじ込みキャップ３２がねじ込まれ、ねじ込みキャップ３２でバー３０を固定状態または走行状態に調整することができる（図４）。また、このバー３０の上部に自在に回転するボール支部４０が設けられている。
【００１１】
座面５０は、ボール支部のボール４１とはめ合わせるように底面に半円形はめ込み部５１が設けられている。
複数の弾性ユニット６０が、ボール支部４０の底部と座面５０の底部を繋げて腰ねじり回し用健康器具を構成する。
【００１２】
モータ２０を始動させると、出力側にあるウォーム歯車２１がシャフトロッド１２にあるベベルギア１３を回転させることによって、シャフトロッド１２の上部にある横フレーム１４が同時に作動する。これによって、横フレーム１４にある案内溝１４１のバー３０が円形回転をして、座面５０に座る人が力を入れなくても腰のねじり回しができ、血行促進の効果が得られる。
【００１３】
さらに、この座面５０は、臀部関節の不適合な摩擦による傷害を低減させるために、座る人の重心位置の変化によって適当な傾斜をつけて対応できるようになっている。
前記ボール支部４０の底部と座面５０の底部を繋げる弾性ユニット６０は伸縮スプリングでもよく、またはそれに相当する弾性紐でもよく、少なくとも２本以上必要となる。
このほか、バー３０の上部に装置されたボール支部４０が座面５０の底部にある半円形はめ込み部５１とはめ合わされる構造は、座面５０の傾斜を自在に提供するための最良の実施形態の一例である。
なお、図１に示すとおり、シャフトロッド１２底部が調整棒７０の軸方向に差し込まれて接続され、また調整棒７０の下部が支柱１０に軸方向に差し込まれる。調整棒７０に適切な間隔をおいて止め穴７１が設けられ、支柱１０の側面にもピン穴１０１が開けられ、これによって、ピン８０がピン穴１０１と一の止め穴７１に差し込まれることにより、二つの部材を確実に固定でき、座面５１の高さも調節できるようになる。
【産業上の利用可能性】
【００１４】
本考案は、座面が自動的に円形回転し、また体重の移動により座面が適切な角度に傾けられることにより、腰の運動をして健康的な効果が得られる。
【図面の簡単な説明】
【００１５】
【図１】本考案の腰ねじり回し用健康器具の正面図である。
【図２】本考案の腰ねじり回し用健康器具のモータ部分を示す図である。
【図３】本考案の腰ねじり回し用健康器具に減速モータが取り付けられた、一実施形態を示す図である。
【図４】本考案の腰ねじり回し用健康器具の調整された状態を示す正面図である。
【符号の説明】
【００１６】
１０    支柱
１０１  ピン穴
１１    台脚
１２    シャフトロッド
１３    ベベルギア
１４    横フレーム
１４１  案内溝
１５    スクリュー
１５１  ホイール
１５２  ノブ
１５３  減速モータ
２０    モータ
２１    ウォーム歯車
３０    バー
３１    つば部
３２    ねじ込みキャップ
４０    ボール支部
４１    ボール
５０    座面
５１    半円形はめ込み部
６０    弾性ユニット
７０    調整棒
７１    止め穴
８０    ピン
【図１】
0003111851.tif 000003
【図２】
0003111851.tif 000004
【図３】
0003111851.tif 000005
【図４】
0003111851.tif 000006